(57)【要約】【課題】遠隔見守りシステムのコンテンツ保護装置において、ウェブページ上で公開するストリーミングタイプのウェブコンテンツの流用を防止し、ウェブコンテンツの保護を図る。【解決手段】サーバ装置は、各種実行命令を記述したスクリプトを含むＨＴＭＬから成るストリーミングタイプのウェブコンテンツ５１と、このウェブコンテンツとは別に所定のキー情報５２を含む外部テキストファイル５３とを備え、ウェブコンテンツ５１は、外部端末のパソコンからインターネット経由でアクセスしてプラウザ機能を用いて閲覧可能とされ、このウェブコンテンツ５１を外部端末にて再生するとき、スクリプトに従って外部テキストファイル５３を読み込み、キー情報５２をチェックし、キー情報が正しければ再生可能とされ、キー情報が正しくなければ再生不能とされ、ウェブコンテンツを再生不能とした。【選択図】図４
2005333295.tif 000002
【特許請求の範囲】
【請求項１】
宅内に配置されて宅内の所定エリアをカメラにて撮影し、その撮影画像を送信する機能を有する宅内装置と、インターネットに接続されて前記宅内装置から撮影画像を電話回線及びインターネットを介して受信すると共に、その画像をインターネット及び電話回線を介して携帯端末に送信する機能を有するサーバ装置とを備え、このサーバ装置はウェブページ上に公開されたコンテンツを有する遠隔見守りシステムのコンテンツ保護装置であって、
前記宅内装置は、ネットワーク接続機器及びインターネット・サービス・プロバイダ（以下、ＩＳＰという）を介してインターネットに接続され、
前記サーバ装置は、
各種実行命令を記述したスクリプト（script）を含むＨＴＭＬ（Hyper Text Markup Language）から成るストリーミングタイプのウェブコンテンツと、このウェブコンテンツとは別に所定のキー情報を含む外部テキストファイルとを備え、
前記ウェブコンテンツは、携帯端末を含む外部端末からインターネット経由でアクセスしてプラウザ機能を用いて閲覧可能とされ、このウェブコンテンツを外部端末にて再生するとき、前記スクリプトに従って前記外部テキストファイルを読み込み、キー情報をチェックし、キー情報が正しければ再生可能とされ、キー情報が正しくなければ再生不能とされ、ウェブコンテンツを再生しようとするスクリプトにおいてプラウザのツールバー、メニューバー及びアドレスバーを非表示に設定され、該ウェブコンテンツが外部端末にローカルに取得されないようにしており、
前記ウェブコンテンツが外部端末にローカルに取得されたとしても、ローカル環境には前記外部テキストファイルが存在しないことにより該ウェブコンテンツを再生不能としたことを特徴とする遠隔見守りシステムのコンテンツ保護装置。
【請求項２】
宅内に配置されて宅内の所定エリアをカメラにて撮影し、その撮影画像を送信する機能を有する宅内装置と、インターネットに接続されて前記宅内装置から撮影画像を電話回線及びインターネットを介して受信すると共に、その画像をインターネット及び電話回線を介して携帯端末に送信する機能を有するサーバ装置とを備え、このサーバ装置はウェブページ上に公開されたコンテンツを有する遠隔見守りシステムのコンテンツ保護装置であって、
前記宅内装置は、ネットワーク接続機器及びインターネット・サービス・プロバイダ（以下、ＩＳＰという）を介してインターネットに接続され、
前記サーバ装置は、
各種実行命令を記述したスクリプト（script）を含むＨＴＭＬ（Hyper Text Markup Language）から成るウェブコンテンツと、このウェブコンテンツとは別に所定のキー情報を含む外部テキストファイルとを備え、
前記ウェブコンテンツは、携帯端末を含む外部端末からインターネット経由でアクセスしてプラウザ機能を用いて閲覧可能とされ、このウェブコンテンツを外部端末にて再生するとき、前記スクリプトに従って前記外部テキストファイルを読み込み、キー情報をチェックし、キー情報が正しければ再生可能とされ、キー情報が正しくなければ再生不能とされていることを特徴とする遠隔見守りシステムのコンテンツ保護装置。
【請求項３】
前記ウェブコンテンツが外部端末にローカルに取得されたとしても、ローカル環境には前記外部テキストファイルが存在しないことにより該ウェブコンテンツを再生不能とした請求項２記載の遠隔見守りシステムのコンテンツ保護装置。
【発明の詳細な説明】
【技術分野】
【０００１】
本発明は、インターネット上のウェブコンテンツを持つサーバを用いた遠隔監視（見守り）システムのコンテンツ保護装置に関する。
【背景技術】
【０００２】
従来の一般的なウェブコンテンツは、閲覧者がブラウザの機能を利用して、ローカルの外部端末に保存したり、ソースコードを参照したり、サーバ上の保存場所を調べたりして、当該コンテンツを自由に流用することが可能であった。また、ストリーミングタイプのコンテンツ（例、リアル、メディア、FLASH）では、改竄防止のプロテクト機能は備わっていても、他のサイトに掲載されるなどの流用防止は困難であった。
【０００３】
従来のコンテンツ再生処理を実行する情報処理装置において、コンテンツの不正利用を防止することを目的に、暗号化コンテンツを格納するとともに、コンテンツ利用条件情報を含むインデックスファイルを記憶手段に記憶し、インデックスファイル中のコンテンツ利用条件情報に基づいてコンテンツ利用可否を判定し、その判定に基づいて、暗号化コンテンツの復号に適用するコンテンツキー取得処理を実行するようにすることが知られている（例えば、特許文献１参照）。
【０００４】
また、コンテンツが不正に利用されることを防止するために、第３の鍵情報により暗号化されたコンテンツデータと、第１の鍵情報とを含むコンテンツとし、第２の鍵情報を含み、コンテンツの利用に関する情報としての利用権を取得し、取得されたコンテンツに含まれる第１の鍵情報と、利用権から抽出された第２の鍵情報とに基づいて、第３の鍵情報を生成し、生成された第３の鍵情報によりコンテンツデータを復号できるようにした情報処理装置が知られている（例えば、特許文献２参照）。
【特許文献１】特開２００３−３４５６６０号公報
【特許文献２】特開２００３−３０９５４５号公報
【発明の開示】
【発明が解決しようとする課題】
【０００５】
ところで、情報公開の拡大という社会的風潮の中、企業では、決算説明会や株主総会などを動画で、または、動画と静止画の組み合わせで、ウェブ配信する用途が増えてきている。このような用途には、ストーリーミングタイプのウェブコンテンツが多く用いられる。このような用途のコンテンツにおいては、ブラウザを通じて閲覧者に取得され、改竄をされたり、流用されたりすることは大きな問題となる。中でも、ストリーミングタイプのウェブコンテンツには流用防止機能が備わっていなかった。
【０００６】
本発明は、上記問題を解消するものであり、ウェブページ上で公開するストリーミングタイプのウェブコンテンツの流用を防止し、ウェブコンテンツの保護を図った遠隔見守りシステムのコンテンツ保護装置を提供することを目的とする。
【課題を解決するための手段】
【０００７】
上述目的を達成するため、請求項１の発明は、宅内に配置されて宅内の所定エリアをカメラにて撮影し、その撮影画像を送信する機能を有する宅内装置と、インターネットに接続されて前記宅内装置から撮影画像を電話回線及びインターネットを介して受信すると共に、その画像をインターネット及び電話回線を介して携帯端末に送信する機能を有するサーバ装置とを備え、このサーバ装置はウェブページ上に公開されたコンテンツを有する遠隔見守りシステムのコンテンツ保護装置であって、前記宅内装置は、ネットワーク接続機器及びインターネット・サービス・プロバイダ（以下、ＩＳＰという）を介してインターネットに接続され、前記サーバ装置は、各種実行命令を記述したスクリプト（script）を含むＨＴＭＬ（Hyper Text Markup Language）から成るストリーミングタイプのウェブコンテンツと、このウェブコンテンツとは別に所定のキー情報を含む外部テキストファイルとを備え、前記ウェブコンテンツは、携帯端末を含む外部端末からインターネット経由でアクセスしてプラウザ機能を用いて閲覧可能とされ、このウェブコンテンツを外部端末にて再生するとき、前記スクリプトに従って前記外部テキストファイルを読み込み、キー情報をチェックし、キー情報が正しければ再生可能とされ、キー情報が正しくなければ再生不能とされ、ウェブコンテンツを再生しようとするスクリプトにおいてプラウザのツールバー、メニューバー及びアドレスバーを非表示に設定され、該ウェブコンテンツが外部端末にローカルに取得されないようにしており、前記ウェブコンテンツが外部端末にローカルに取得されたとしても、ローカル環境には前記外部テキストファイルが存在しないことにより該ウェブコンテンツを再生不能としたものである。
【０００８】
請求項２の発明は、宅内に配置されて宅内の所定エリアをカメラにて撮影し、その撮影画像を送信する機能を有する宅内装置と、インターネットに接続されて前記宅内装置から撮影画像を電話回線及びインターネットを介して受信すると共に、その画像をインターネット及び電話回線を介して携帯端末に送信する機能を有するサーバ装置とを備え、このサーバ装置はウェブページ上に公開されたコンテンツを有する遠隔見守りシステムのコンテンツ保護装置であって、前記宅内装置は、ネットワーク接続機器及びインターネット・サービス・プロバイダ（以下、ＩＳＰという）を介してインターネットに接続され、前記サーバ装置は、各種実行命令を記述したスクリプト（script）を含むＨＴＭＬ（Hyper Text Markup Language）から成るウェブコンテンツと、このウェブコンテンツとは別に所定のキー情報を含む外部テキストファイルとを備え、前記ウェブコンテンツは、携帯端末を含む外部端末からインターネット経由でアクセスしてプラウザ機能を用いて閲覧可能とされ、このウェブコンテンツを外部端末にて再生するとき、前記スクリプトに従って前記外部テキストファイルを読み込み、キー情報をチェックし、キー情報が正しければ再生可能とされ、キー情報が正しくなければ再生不能とされているものである。
【０００９】
請求項３の発明は、請求項２記載の遠隔見守りシステムのコンテンツ保護装置において、ウェブコンテンツが外部端末にローカルに取得されたとしても、ローカル環境には前記外部テキストファイルが存在しないことにより該ウェブコンテンツを再生不能としたものである。
【発明の効果】
【００１０】
本発明によれば、ウェブコンテンツを再生する時には、外部テキストファイルのキー情報を検査してから再生するようにしたので、仮に閲覧者によってローカル環境で当該ウェブコンテンツが取得されたとしても、ローカル環境では外部テキストファイルが存在しないので、当該コンテンツを再生することも、他のウェブサイト上で再生することもできない。従って、ウェブコンテンツの流用を防止できる。
【発明を実施するための最良の形態】
【００１１】
以下、本発明を具体化した実施形態による遠隔見守りシステムについて図面を参照して説明する。図１は遠隔見守りシステムの全体構成を示す。この遠隔見守りシステムは、ユーザ宅内の状況を宅外から見守るために宅内の撮影画像を宅外から確認可能とするシステムであり、宅内の状況を外部に送信する機能を持つ宅内装置１，２，３と、これら宅内装置１，２，３をインターネット７経由で遠隔制御すると共に外部端末６としての携帯端末６１又はパソコン６２との間で交信されるサーバ装置４（Ｗｅｂサーバ）とを備える。宅内装置１，２，３は、実運用では多数あり（図示では３ユーザ分を示している）、携帯端末６１等もユーザ毎にある。
【００１２】
宅内装置１，２，３は、それぞれ本システム動作のための制御部１０，２０，３０や所定の見守りエリアを撮影するカメラ１１，２１，３１、人体センサ１３，２３，３３等を備え、一般の家電製品と同様にユーザによって宅内の適宜の位置、例えば子供や老人、ペット等が居る部屋に設置され、ルータ内蔵ｘＤＳＬ（Digital Subscriber Line;ｘは総称）モデム又はブロードバンド・ルータ１２，２２、電話回線８及びインターネット・サービス・プロバイダ（Internet Service Provider、ＩＳＰという）を介してインターネット７に接続される。宅内装置１，２，３は、センサ１３，２３，３３の反応時に所定の動作を実行し、また外部端末６からの操作指示に応じてサーバ装置４経由で受信した遠隔操作命令を実行し、サーバ装置４に宅内情報、例えば撮影画像をアップロードする機能を持つ。
【００１３】
サーバ装置４は、ルータ４５、ＩＳＰを介してインターネット７に接続され、本遠隔見守りシステムを運営し、サービスを提供するサーバ４１，４２，４３，４４等から成り、宅内装置１，２，３から受信した宅内情報をインターネット７及び携帯電話回線９又は電話回線８を介して対応する外部端末６に通知し、外部端末６からの要求に応じて撮影画像を外部端末６に送信する機能を持つ。サーバ装置４は、外部端末６にて設定された遠隔操作命令を携帯電話回線９又は電話回線８及びインターネット７を介して受信して、その遠隔操作命令をインターネット７及び電話回線８を介して宅内装置１，２，３に転送し、また、宅内装置１，２，３にて撮影された画像を電話回線８及びインターネット７を介して受信して、その画像をインターネット７及び携帯電話回線９又は電話回線８を介して対応する外部端末６に転送する。
【００１４】
外部端末６は、携帯電話回線９又は電話回線８及びインターネット７を介してサーバ装置４に接続可能になっている。このような外部端末６としては、ユーザの所持する携帯電話機やＰＤＡ（Personal Digital Assistant）等の携帯端末６１やパソコン６２がある。これら外部端末６は、宅内装置１，２，３にて撮影された画像の送信命令を含む宅内装置を制御するための遠隔操作命令をサーバ装置４に対して設定し、また、宅内装置１，２，３にて撮影された画像を表示する。
【００１５】
宅内装置１，２，３についてさらに詳細説明する。この内の宅内装置１，２は、ＡＤＳＬ等のブロードバンド回線とインターネット７を介してサーバ装置４に常時接続可能な構成を示し、宅内装置３は、ダイヤルアップ接続の構成を示す。
【００１６】
サーバ装置４は、ユーザによる外部端末６からの遠隔操作時に、外部端末６から送信されたユーザＩＤとパスワードを認証してログイン可能となるもので、宅内装置１，２，３から送信されたユーザＩＤに対応する宅内装置のシリアル番号、ステータス情報、動的グローバルＩＰ、及び外部端末６から送信された遠隔操作命令を管理し、管理された動的グローバルＩＰアドレスへ遠隔操作命令を送信する機能を持つ。
【００１７】
次に、上記のように構成された遠隔見守りシステムの動作の概要を、図２（ａ）を参照して説明する。図２（ａ）は、図１における宅内装置１（ここでは、代表して常時接続された宅内装置１）とサーバ装置４と外部端末６における携帯端末６１との間におけるセンサ反応時動作のタイムチャートである。（１）宅内装置１は、人体センサ１３により侵入者等を検出すると、カメラ１１にて撮影している画像をキャプチャする。（２）宅内装置１は、サーバ装置４へセンサ反応（異常が発生した旨）を通知すると共に、キャプチャした画像をサーバ装置４に送信する。（３）サーバ装置４は、宅内装置１から送られてきた画像を保存し、（４）センサ反応を携帯端末６１に電子メールで通知する。ユーザは、携帯端末６１に届いた電子メールにより異常が発生したことを知り、（５）携帯端末６１を操作して、携帯端末６１をサーバ装置４に接続し、画像送信を要求する。（６）サーバ装置４は、送信要求に応じて、保存画像を携帯端末６１に送信し、（７）携帯端末６１は、サーバ装置４から送られてきた画像を表示する。ユーザは、その表示画像を見ることで、センサ反応時に撮影された画像を確認することができる。
【００１８】
また、ユーザは、携帯端末６１を操作して、携帯端末６１をサーバ装置４に接続し、プラウザによりユーザＩＤ、パスワード入力により、ログインし、宅内装置１を制御するための遠隔操作命令（例えば「画像送信」）を携帯端末６１からサーバ装置４に送信することもできる。このとき、サーバ装置４は、ユーザＩＤ、パスワードを認証し、遠隔操作命令が携帯端末６１から送られてきたことを受けて、その遠隔操作命令を保存すると共に、グローバルＩＰアドレス、すなわち、該当の宅内装置１に遠隔操作命令を送信する。宅内装置１は、サーバ装置４から受取った遠隔操作命令を実行し、遠隔操作命令を実行完了した旨をサーバ装置４に通知する。サーバ装置４は、遠隔操作命令を実行完了した旨を携帯端末６１に電子メールで通知する。このとき、ユーザは携帯端末６１を操作して、サーバ装置４に接続し、保存画像の送信要求をすることで、宅内の撮影画像を確認することができる。
【００１９】
次に、上記システムにおけるサーバ装置４のウェブコンテンツ保護について説明する。サーバ装置４には、外部端末６からインターネット経由でアクセスしてプラウザ機能を用いて閲覧可能な本システムのウェブコンテンツがアップロードされている。図２（ｂ）のタイムチャートに示すように、（１１）外部端末６のパソコン６２からプラウザによりコンテンツ閲覧要求をすると、（１２）サーバ装置４は、ウェブコンテンツを配信し、（１３）パソコン６２でコンテンツが表示される。図３はウェブコンテンツのトップページの一例を示している。
【００２０】
図４はサーバ装置４とそのコンテンツを閲覧するパソコン６２との間における、ウェブコンテンツ保護のための手段を示す。サーバ装置４のウェブコンテンツは、コンテンツの流用防止策として、Macromedia社のFLASH（動画等作成に適したプログラムソフト）を使用して作成したストリーミングタイプのFLASHコンテンツであり、FLASHの中でアクションスクリプトを活用している。すなわち、このFLASHコンテンツは、配信元が配信したい情報を含んでおり、各種実行命令を記述したスクリプト（script）を含むＨＴＭＬ（Hyper Text Markup Language）５１から成る。そして、本発明では、サーバ装置４に、このウェブコンテンツとは別に外部テキストファイル５３を備え、そこには、所定のキー情報５２（パスワード）を書き込んでいる。ローカルなパソコン６２には、パソコン６２からのコンテンツ閲覧要求によりＨＴＭＬ５５が配信される。
【００２１】
図５はこのFLASHコンテンツをパソコン６２で再生するときのフローチャートである。このコンテンツ再生動作は、キーファイル再生方式と称され、スクリプトに従って外部テキストファイル５３を読み込み（＃１）、キー情報５２が規定値であるかをチェックし（＃２）、キー情報５２が正しければ再生可能とされ（＃３）、キー情報５２が正しくなければ再生不能とされる。キー情報５２が見つからなければエラーとする（＃４）。
【００２２】
このキーファイル再生方式においては、ブラウザから再生しようとしたFLASHコンテンツは、配信情報の再生の前に、外部テキストファイルを読み込み、キー情報をチェックし、正しければ再生動作をし、そうでなければ、コンテンツを再生することなく終了するスクリプトを含む。このため、閲覧者が仮に当該コンテンツを取得し、改竄や流用をしようとしても、既定のサーバ環境以外のローカルな環境では、当該コンテンツの再生を不可能にし、ひいては、流用も改竄もできなくしてしまう。
仮に当該コンテンツがローカルに取得されることがあったとしても、ローカル環境には、外部テキストファイル５３が存在しないので、再生することはできない。再生できないコンテンツは流用価値もなくなる。
【００２３】
また、外部テキストファイルの取得を試みるものがいたとしても、当該コンテンツにアプリケーションソフトからの読み込みパスワードを設定しておくことによって、外部テキストファイルのサーバ上のアドレスを知ることができない。また、当該コンテンツをローカル環境に取得されないために、FLASHコンテンツを再生しようとするHTMLスクリプトにおいて、ブラウザのツールバー、メニューバー、アドレスバーを非表示とし、ショートカットメニューの利用も不可設定とする。こうして、ウェブコンテンツが外部端末にローカルに取得されないようにしている。
【００２４】
本発明は、発明の趣旨を変更しない範囲で種々の変形が可能である。例えば、コンテンツ保護の対象である遠隔見守りシステムは、上記以外の実施形態であっても、また、その他のシステムにも同様に適用可能である。
【図面の簡単な説明】
【００２５】
【図１】本発明の一実施形態に係る遠隔見守りシステムの全体構成図。
【図２】同上システムにおける宅内装置とサーバ装置と携帯端末の間での動作のタイムチャート図。
【図３】同上システムにおけるウェブページの一例を示す図。
【図４】同上システムにおけるコンテンツ保護のための手段を示す図。
【図５】同上システムにおけるコンテンツ保護のための再生動作を示すフローチャート図。
【符号の説明】
【００２６】
１，２，３  宅内装置
１０，２０，３０  制御部
１１，２１，３１  カメラ
１２，２２  モデム又はブロードバンド・ルータ（ネットワーク接続機器）
４  サーバ装置
５１  ウェブコンテンツ
５２  キー情報
５３  外部テキストファイル
５５  配信されたＨＴＭＬ
６  外部端末
６１  携帯端末
６２  パソコン
７  インターネット
８  電話回線
９  携帯電話回線
【図１】
2005333295.tif 000003
【図２】
2005333295.tif 000004
【図３】
2005333295.tif 000005
【図４】
2005333295.tif 000006
【図５】
2005333295.tif 000007